(57)【要約】【課題】高周波電圧又は高電圧による計測器への影響を抑制することが可能な溶接計測システムを提供すること。【解決手段】溶接計測システム１は、アークスタート時に溶接トーチ２の電極２ａと母材３との間に電圧を印加する溶接電源４と、溶接電源４と電極２ａとを電気的に接続する第１導電部材５と、溶接電源４と母材３とを電気的に接続する第２導電部材６と、第１導電部材５又は第２導電部材６における電流値を非接触で計測する第１計測器１０と、溶接電源４に電気的に接続され、電流値が判定閾値以下である場合に遮断状態となり、電流値が判定閾値以上である場合に通電状態となる遮断器１５と、遮断器１５を介して溶接電源４と接続された第２計測器１２とを備える。【選択図】図１
2019030898.tif 000002
【特許請求の範囲】
【請求項１】
アークスタート時に溶接トーチの電極と母材との間に電圧を印加する溶接電源と、
前記溶接電源と前記電極とを電気的に接続する第１導電部材と、
前記溶接電源と前記母材とを電気的に接続する第２導電部材と、
前記第１導電部材又は前記第２導電部材における電流値を非接触で計測する第１計測器と、
前記溶接電源に電気的に接続され、前記電流値が判定閾値以下である場合に遮断状態となり、前記電流値が判定閾値以上である場合に通電状態となる遮断器と、
前記遮断器を介して前記溶接電源と接続された第２計測器とを備える溶接計測システム。
【請求項２】
前記判定閾値は、第１判定閾値及び第２判定閾値を含み、
前記遮断器は、前記電流値が第１判定閾値以上となった場合に通電状態となり、第２判定閾値以下となった場合に前記通電状態から前記遮断状態となる請求項１に記載の溶接計測システム。
【請求項３】
前記遮断器は、前記電流値が前記判定閾値以上となってからの経過時間が判定基準時間以上である場合に、前記通電状態となる請求項１又は２に記載の溶接計測システム。
【請求項４】
前記第１計測器は、前記第１導電部材又は前記第２導電部材を取り囲む環状部を備え、前記環状部内を通過する前記第１導電部材又は前記第２導電部材における前記電流値を計測する請求項１〜３の何れか一項に記載の溶接計測システム。
【請求項５】
前記第２計測器は、前記電極と前記母材との間の電圧値を記録する請求項１〜４の何れか一項に記載の溶接計測システム。
【請求項６】
前記第２計測器は、前記第１計測器で計測された前記電流値を記録する請求項１〜５の何れか一項に記載の溶接計測システム。
【発明の詳細な説明】
【技術分野】
【０００１】
本開示は、溶接計測システムに関する。
【背景技術】
【０００２】
溶接のスタート時において、溶接トーチに装着された電極と母材との間にスタート用高周波電圧を印加してアークを発生させる方法が知られている（例えば、特許文献１参照）。このスタート用高周波電圧を発生させる回路（以下「高周波電圧回路」という）には、例えばフライバックトランス、コンデンサ、放電ギャップ等が含まれている。特許文献１に記載の方法では、例えば、フライバックトランスの２次側電圧、コンデンサの容量、放電ギャップの間隔等を調整することで、スタート用高周波電圧の強度を制御することができる。
【先行技術文献】
【特許文献】
【０００３】
【特許文献１】特開２０１４−１５５９４５号公報
【発明の概要】
【発明が解決しようとする課題】
【０００４】
しかしながら、特許文献１に記載の技術では、高周波電圧を印加した際に、強い電磁波ノイズが発生するため、溶接電源に接続されている計測器が誤動作したり、損傷したりするおそれがある。また、溶接のスタート時において、アークを発生させる際に、高周波電圧の代わりに、高電圧を印加する技術がある。この技術においても、高電圧を印加した際に、強い電磁波ノイズが発生するため、溶接電源に接続されている計測器が誤動作したり、損傷したりするおそれがある。
【０００５】
本開示は、アークスタート時の電圧による計測器への影響を抑制することが可能な溶接計測システムを提供することを目的とする。
【課題を解決するための手段】
【０００６】
本開示の一態様に係る溶接計測システムは、アークスタート時に溶接トーチの電極と母材との間に電圧を印加する溶接電源と、溶接電源と電極とを電気的に接続する第１導電部材と、溶接電源と母材とを電気的に接続する第２導電部材と、第１導電部材又は第２導電部材における電流値を非接触で計測する第１計測器と、溶接電源に電気的に接続され、電流値が判定閾値以下である場合に遮断状態となり、電流値が判定閾値以上である場合に通電状態となる遮断器と、遮断器を介して溶接電源と接続された第２計測器とを備える。
【０００７】
この溶接計測システムでは、アークスタート時であり電圧を印加している状態において、第１計測器が第１導電部材又は第２導電部材に非接触であり、当該第１導電部材又は第２導電部材に接続されていないので、電圧によるノイズは、第１導電部材又は第２導電部材を介して直接的に第１計測器に伝導されることがない。そのため、第１計測器に対するノイズの影響が抑制される。また、アークスタート時に電圧を印加している状態は、第１導電部材及び第２導電部材に電流は殆ど流れていない状態である。このとき、電流値が判定閾値以下であり、遮断器は遮断状態であるので、溶接電源と第２計測器とが電気的に遮断され、電圧によるノイズは溶接電源から第２計測器に伝導されない。そのため、第２計測器に対するノイズの影響が抑制される。また、アークが発生した後において、電流値が判定閾値以上となると、遮断器は通電状態となり、溶接電源と第２計測器とが電気的に接続され、第２計測器は計測可能な状態となる。
【０００８】
いくつかの態様において、判定閾値は、第１判定閾値及び第２判定閾値を含み、遮断器は、電流値が第１判定閾値以上となった場合に通電状態となり、第２判定閾値以下となった場合に通電状態から遮断状態となる。
【０００９】
いくつかの態様において、遮断器は、電流値が判定閾値以上となってからの経過時間が判定基準時間以上である場合に、通電状態となる構成でもよい。これにより、遮断器において、遮断状態から通電状態への変更を安定して行うことができる。例えば、誤検出により電流値が判定閾値以上となった場合であっても、判定基準時間未満であれば、遮断状態から通電状態に変更されない。そのため、誤検出により通電状態に変更されることが抑制される。
【００１０】
いくつかの態様において、第１計測器は、第１導電部材又は第２導電部材を取り囲む環状部を備え、環状部内を通過する第１導電部材又は第２導電部材における電流値を計測してもよい。これにより、第１導電部材又は第２導電部材の周囲に形成された磁束の変化を確実に検出することができる。
【００１１】
いくつかの態様において、第２計測器は、電極と母材との間の電圧値を記録する構成でもよい。これにより、アークが発生した後、第１導電部材及び第２導電部材に本電流が供給されて、溶接が施工されている状態において、電圧値を検出して記録することができる。この電圧値は、溶接トーチと母材との距離によって変化するので、この変化に基づいて、溶接施工者の技量を把握することもできる。
【００１２】
いくつかの態様において、第２計測器は、第１計測器で計測された電流値を記録する構成でもよい。電流値、電圧値及び施工時間に基づいて、溶接施工による母材への入熱量を算出することができる。その結果、入熱量を管理して、溶接施工の品質を向上させることができる。
【発明の効果】
【００１３】
本開示によれば、アークスタート時の電圧による計測器への影響を抑制することが可能な溶接計測システムを提供することができる。
【図面の簡単な説明】
【００１４】
【図１】本開示の一実施形態の溶接計測システムを示す概略構成図である。
【図２】図１に示す溶接計測システムで計測された電圧値及び電流値を示すグラフである。
【図３】図２中の部分を拡大して示すグラフである。
【図４】図１に示す溶接計測システムで実行される動作手順を示すフローチャートである。
【発明を実施するための形態】
【００１５】
以下、本開示の好適な実施形態について、図面を参照しながら詳細に説明する。なお、各図において同一部分又は相当部分には同一の符号を付し、重複する説明は省略する。
【００１６】
図１に示される溶接計測システム１は、例えばＴＩＧ（Tungsten Inert Gas）溶接を施工する際に、電流値（溶接電流）及び電圧値（溶接電圧）等を計測することができる。溶接計測システム１が適用される溶接は、ＴＩＧ溶接に限定されず、例えばプラズマアーク溶接等その他の溶接でもよい。溶接計測システム１は、例えば工場内に配置されて使用される。溶接計測システム１が適用される溶接では、アークスタート時に溶接トーチ２の電極２ａと母材３との間に高周波電圧（又は高電圧）を印加して、アークを発生させる。
【００１７】
溶接計測システム１は、溶接機（溶接電源）４、第１ケーブル（第１導電部材）５及び第２ケーブル（第２導電部材）６を含む。溶接機４は、高周波電圧回路７及び本電流回路８を含む。溶接機４の入力側の電極は、例えば２００［Ｖ］の電力を供給する分電盤（不図示）に接続されている。高周波電圧回路７は、例えばフライバックトランス、コンデンサ、放電ギャップ等を備える。これらのフライバックトランス、コンデンサ、放電ギャップ等は、電気的に接続されている。高周波電圧回路７は、アークスタート時に高周波電圧を発生させる回路である。高周波電圧は、例えば１００００［Ｖ］以上２００００［Ｖ］以下でもよい。本電流回路８は、例えばコイル及び鉄心等を備え、アークが発生した後に本電流を供給する回路である。本電流が流れているときの電圧値は、例えば１５［Ｖ］程度でもよい。
【００１８】
溶接機４の出力側の電極（負極４ａ、正極４ｂ）には、第１ケーブル５及び第２ケーブル６がそれぞれ接続されている。これらの溶接機４、第１ケーブル５及び第２ケーブル６は、溶接施工時において、本電流が流れる電気回路を構成する。第１ケーブル５は、溶接機４の出力側の負極４ａと溶接トーチ２の電極２ａとを電気的に接続している。第２ケーブル６は、溶接機４の正極４ｂと母材３とを電気的に接続している。例えば、第２ケーブル６は、溶接施工時に母材３が載置される作業台９の脚部９ａを介して母材３と電気的に接続されている。作業台９は、導電性の部材によって構成されている。溶接機４の出力側の正極４ｂは、第２ケーブル６及び作業台９の脚部９ａと電気的に接続されて接地されている。
【００１９】
溶接トーチ２は、電極２ａを保持するハウジング２ｂを備える。電極２ａは、非消耗のタングステン電極である。溶接トーチ２は、溶接施工時に不活性ガスを供給するガス供給部を含む。また、溶接トーチ２には、溶接施工者が操作可能なスイッチ２ｃが設けられている。スイッチ２ｃがＯＮとなると、溶接機４によって高周波電圧が印加される。
【００２０】
溶接計測システム１は、クランプメータ（第１計測器）１０と、高周波遮断ユニット１１と、データロガー（第２計測器）１２とを備える。
【００２１】
クランプメータ１０は、第１ケーブル５に対して非接触であり、第１ケーブル５を流れる電流の値（電流値）を計測する。「第１ケーブル５に対して非接触」とは、第１ケーブル５に対して接触していない状態であり、第１ケーブル５に電気的に接続されていない状態である。クランプメータ１０の導電部分と、第１ケーブル５の導電部分とが、電気的に接続されていない場合には、クランプメータ１０は第１ケーブル５に対して非接触である。
【００２２】
クランプメータ１０は、環状部１０ａと本体部１０ｂとを備える。環状部１０ａは、第１ケーブル５の周囲に配置されている。第１ケーブル５は、環状部１０ａによって囲まれた空間内を通過するように配置されている。環状部１０ａは、第１ケーブル５が通電された状態において、第１ケーブル５回りに生じた磁束の変化を検出する。
【００２３】
本体部１０ｂには電流計が内蔵されている。この電流計は、環状部１０ａによって検出された磁束の変化に基づいて、第１ケーブル５を流れる電流の電流値を計測する。クランプメータ１０は、第１ケーブル５が通電されたことによる電磁誘導に起因する電流値を計測し、第１ケーブル５における電流値を計測する。
【００２４】
クランプメータ１０には、第３ケーブル１３が電気的に接続されている。クランプメータ１０で計測された電流値に関する信号は、第３ケーブル１３を通じて高周波遮断ユニット１１に出力される。また、クランプメータ１０は、電流値に関する信号を、高周波遮断ユニット１１に出力する共に、データロガー１２に出力してもよい。なお、溶接計測システム１は、第１ケーブル５に対して非接触であるクランプメータ１０に代えて、第２ケーブル６に対して非接触であるクランプメータ１０を備える構成でもよい。このように、溶接計測システム１は、第２ケーブル６に対して非接触であるクランプメータ１０を用いて、第２ケーブル６を流れる電流の電流値を計測してもよい。
【００２５】
また、溶接計測システム１は、上記のクランプメータ１０に代えて、その他の非接触電磁誘導コイルを含む第１計測器を備えるものでもよい。非接触電磁誘導コイルは、第１ケーブル５または第２ケーブル近傍に配置され、第１ケーブル５または第２ケーブル６が通電されたことによる電磁誘導に起因する電流を検出可能なコイルを含む。
【００２６】
高周波遮断ユニット１１は、演算部１４及び電磁接触器１５を備える。演算部１４は、ＣＰＵ（Central  Processing  Unit)、ＲＯＭ(Read  Only  Memory)、およびＲＡＭ(Random  Access  Memory)等のハードウェアと、ＲＯＭに記憶されたプログラム等のソフトウェアとから構成されたコンピュータである。
【００２７】
演算部１４は、クランプメータ１０と電気的に接続され、クランプメータ１０で計測された電流値に関する信号を入力する。演算部１４は、電流値が第１判定閾値以上であるか否かを判定する第１判定部を含む。また、演算部１４は、電流値が第２判定閾値以下であるか否かを判定する第２判定部を含む。第１判定閾値と第２判定閾値とは、異なる値でもよく、同じ値でもよい。第２判定閾値は、例えば第１判定閾値より大きな値であってもよい。また、演算部１４は、電流値が第１判定閾値以上となってからの経過時間が判定基準時間以上であるか否かを判定する。判定基準時間は、例えば１００［ｍｓｅｃ］とすることができる。演算部１４による判定結果を示す信号は、電磁接触器１５に出力される。
【００２８】
電磁接触器１５は、例えば電磁石及び接点を含む。電磁接触器１５は、溶接機４と電気的に接続されている。電磁接触器１５は、第４ケーブル１６に接続され、この第４ケーブル１６は、第１ケーブル５に接続されている。電磁接触器１５は、第５ケーブル１７に接続され、この第５ケーブル１７は、例えば作業台９の脚部９ａに電気的に接続されている。これにより、電磁接触器１５が接地されている。また、電磁接触器１５は、第６ケーブル１８を介してデータロガー１２と電気的に接続されている。
【００２９】
電磁接触器１５は、電流値が第１判定閾値以上であり、判定基準時間以上経過した場合に接点が閉じて電気的に接続される。これにより、溶接機４とデータロガー１２とは、遮断状態から通電状態となる。電磁接触器１５は、電流値が第２判定閾値以下である場合に接点が開いて通電状態から遮断状態となる。これにより、溶接機４とデータロガー１２とは、遮断され、電気的に接続されていない状態となる。電磁接触器１５は、電流値が第１判定閾値以上であり、判定基準時間以上経過した場合に接点が閉じて電気的に接続される。これにより、溶接機４とデータロガー１２とは、遮断状態から通電状態となる。
【００３０】
データロガー１２は、例えばＣＰＵ、ＲＯＭ及びＲＡＭ等を含む。データロガー１２は、電磁接触器１５を介して、溶接機４の出力側の電極と接続され、溶接機４から出力された電圧の値（電圧値）を計測し記録する。また、データロガー１２は、クランプメータ１０と接続された第７ケーブル１９と電気的に接続されている。これにより、データロガー１２は、クランプメータ１０から出力された電流値に関する信号を入力し電流値を記録することができる。
【００３１】
データロガー１２は、時間を計測するタイマーを含み、電圧値及び電流値と共に、時間に関するデータを記録することもできる。データロガー１２は、これらの電流値、電圧値、時間以外の情報を計測し、記録してもよい。データロガー１２は、例えば、演算部１４による演算結果に関する情報を記録してもよい。データロガー１２は、その他の計測器と接続されていてもよい。
【００３２】
図２は、データロガー１２で記録された電圧値及び電流値を示すグラフである。図３は、図２中の部分を拡大して示すグラフである。図２及び図３において、横軸は、時間の経過を示している。上段のグラフＧ１は、電圧値［Ｖ］の変化を示し、下段のグラフＧ２は、電流値［Ａ］の変化を示している。図３に示されるように、例えば、時間Ｔ０［ｓｅｃ］において、電流値は０［Ａ］となっている。時間Ｔ１［ｓｅｃ］において、例えば高周波電圧が印加され、このときのノイズにより瞬間的に電流値が変動している。
【００３３】
時間Ｔ２［ｓｅｃ］から電流値が上昇している。例えば、時間Ｔ３［ｓｅｃ］において、電流値は、第１判定閾値（Ａ１［Ａ］）以上となり、時間Ｔ４［ｓｅｃ］において、判定基準時間（Ｔ４−Ｔ３［ｓｅｃ］）以上経過している。この状態において、電磁接触器１５が接続され、データロガー１２において電圧値の計測及び記録が開始される。例えば、時間Ｔ４［ｓｅｃ］では、電圧値は、Ｖ１［Ｖ］（８［Ｖ］）を超えて、Ｖ２［Ｖ］以上となっている。このときの電圧値は、本電流が供給される本溶接領域の値となっている。
【００３４】
時間Ｔ４［ｓｅｃ］を経過後、電流値は例えばＡ３［Ａ］（２０［Ａ］）を超え、Ａ４［Ａ］に達して、一定の値となっている。このときの電流値は、本電流が供給される本溶接領域の値となっている。その後、時間Ｔ６［ｓｅｃ］において電流値の降下が始まり、時間Ｔ７［ｓｅｃ］において、電流値は第２判定閾値（Ａ２［Ａ］）以下となり、０［Ａ］となる。電流値が第２判定閾値以下となると、電磁接触器１５は絶縁状態となり、データロガー１２で記録される電圧値は０［Ｖ］となる。
【００３５】
次に溶接計測システム１における動作について説明する。図４は、溶接計測システム１で実行される動作手順を示すフローチャートである。
【００３６】
まず、溶接計測システム１では、溶接開始前に、クランプメータ１０による電流値の計測を開始する（ステップＳ１）。また、データロガー１２は、クランプメータ１０で計測された電流値を記録する。この状態では、電流値は第２判定閾値以下であり、電磁接触器１５は遮断状態となっている（ステップＳ２）。
【００３７】
次に、溶接施工者が溶接トーチ２のスイッチ２ｃをＯＮにすると（ステップＳ３）、溶接機４の高周波電圧回路７によって、溶接トーチ２の電極２ａと母材３との間に、スタート用高周波電圧が印加される（ステップＳ４）。スタート用高周波電圧が印加されている状態において、クランプメータ１０は、第１ケーブル５の電流値を計測し、データロガー１２は、電流値を記録する。
【００３８】
演算部１４は、クランプメータ１０で計測された電流値が第１判定閾値以上であるか否かを判定する（ステップＳ５）。電流値が第１判定閾値以上である場合には（ステップＳ５；ＹＥＳ）、ステップＳ６に進む。電流値が第１判定閾値以上ではない場合には（ステップＳ５；ＮＯ）、ステップＳ５における処理を繰り返す。
【００３９】
溶接計測システム１では、スタート用高周波電圧が印加されて、溶接トーチ２の電極２ａと母材３との間にアークが発生すると、スタート用高周波電圧の印加を終了し、本電流を供給する。溶接機４から本電流が供給されると、第１ケーブル５の電流値及び第２ケーブル６の電流値が増加する。
【００４０】
ステップＳ６では、演算部１４は、電流値が第１判定閾値以上となってからの経過時間が判定基準時間を経過したか否かを判定する。経過時間が判定基準時間を超えた場合には（ステップＳ６；ＹＥＳ）、ステップＳ７に進む。経過時間が判定基準時間を超えない場合には、ステップＳ５に戻る。
【００４１】
ステップＳ７では、電磁接触器１５による遮断を中止して、溶接機４とデータロガー１２とが電気的に接続される。ステップＳ８では、データロガー１２において電圧値が計測されて記録される。溶接機４とデータロガー１２とが電気的に接続されると、溶接機４における電圧値が計測されて記録される。換言すると、スタート用高周波電圧の印加が終了し、本電流回路８によって本電流の供給が開始されると、電圧値が記録される。
【００４２】
この状態において、クランプメータ１０による電流値の計測は継続されており、演算部１４は、電流値が第２判定閾値以下であるか否かを判定する（ステップＳ９）。電流値が第２判定閾値以下である場合には（ステップＳ９；ＹＥＳ）、ステップＳ１０に進む。電流値が第１判定閾値以下ではない場合には（ステップＳ９；ＮＯ）、ステップＳ９による処理を繰り返す。溶接計測システム１では、本電流が供給されている場合には、電流値は第２判定閾値より高い値となっている。本電流の供給が終了し、溶接施工が中止されると、電流値は第２判定閾値以下となる。
【００４３】
ステップＳ１０では、電磁接触器１５を遮断状態とする。これにより、本電流の供給が終了すると、溶接機４とデータロガー１２とが電気的に接続されていない状態となる。すなわち、次回のスタート用高周波電圧が印加される前に、遮断状態とすることができる。スタート用高周波電圧が印加された場合に、溶接機４とデータロガー１２とが電気的に接続されていない状態となる。
【００４４】
このような溶接計測システム１では、クランプメータ１０が第１ケーブル５に対して非接触であり、第１ケーブル５に接続されていない状態で、第１ケーブル５の電流値を計測することができる。アークスタート時であり高周波電圧を印加している状態において、クランプメータ１０が第１ケーブル５に接続されていないので、高周波電圧によるノイズのクランプメータ１０への伝導が抑制される。そのため、クランプメータ１０に対するノイズの影響が抑制される。
【００４５】
また、アークスタート時であり、高周波電圧を印加している状態は、第１ケーブル５及び第２ケーブル６に電流が流れていない状態である。このとき、電流値が第２判定閾値以下であり、電磁接触器１５は遮断状態であるので、溶接機４とデータロガー１２とが電気的に遮断され、高周波電圧によるノイズは溶接機４からデータロガー１２に伝導されない。そのため、データロガー１２に対するノイズの影響が抑制される。
【００４６】
また、アークが発生した後において、電流値が第１判定閾値以上となると、電磁接触器１５は通電状態となり、溶接機４とデータロガー１２とが電気的に接続され、データロガー１２は、電磁接触器１５を介して入力した信号に基づいて、電圧値を計測して記録することができる。
【００４７】
また、溶接計測システム１において、電磁接触器１５は、電流値が第１判定閾値以上となってからの経過時間が判定基準時間以上である場合に、通電状態となる。これにより、電磁接触器１５において、遮断状態から通電状態への変更を安定して行うことができる。例えば、工場内において複数の箇所で溶接施工が行われる場合には、近くの他の溶接機における高周波電圧によるノイズの影響を受けるおそれがある。溶接計測システム１では、仮に誤検出によって電流値が瞬間的に第１判定閾値以上となった場合であっても、判定基準時間未満であれば、遮断状態から通電状態に変更されない。そのため、誤検出に起因して電磁接触器１５が通電状態に変更されることを防止できる。
【００４８】
また、データロガー１２は本電流が供給されている状態において、溶接トーチ２の電極２ａと母材３との間の電圧値を記録する。この電圧値は、溶接トーチ２の電極２ａと母材３との距離によって変化するので、この電圧値の変化に基づいて、溶接施工者の技量を把握することができる。
【００４９】
また、データロガー１２は本電流が供給されている状態において、第１ケーブル５の電流値を記録することができる。データロガー１２では、電圧値、電流値、及び施工時間を記録することができる。記録されたこれらの電流値、電圧値及び施工時間に基づいて、溶接施工による母材３への入熱量を算出することができる。その結果、入熱量を管理して、溶接施工の品質を向上させることができる。このような溶接計測システム１によれば、例えば溶接施工された部品の信頼性の向上を図ることができる。例えば演算部１４が、データロガー１２から各種データを読み取り、入熱量を算出してもよい。
【００５０】
例えば、従来の技術において、高電圧プローブを介して、溶接機４とデータロガー１２とを接続して、電圧値を検出することが考えられる。この場合には、高電圧プローブによって信号が減衰されてしまい、精度良く電圧値を検出することができなかった。例えば、本電流が流れているときの電圧値は、高周波電圧を印加している場合と比較して小さいため、本電流が流れているときの電圧値を精度良く計測することは困難であった。しかしながら、溶接計測システム１では、高電圧プローブを使用する必要がなく、高電圧プローブによる信号の減衰が回避される。これにより、計測分解能の低下を抑制できるので、本電流が流れているときの電圧値を精度良く計測することができる。
【００５１】
本開示は、前述した実施形態に限定されず、本開示の要旨を逸脱しない範囲で下記のような種々の変形が可能である。
【００５２】
上記の実施形態では、アークスタート時に高周波電圧を印加する場合について説明しているが、アークスタート時に高電圧を印加する場合について溶接計測システム１を適用することができる。溶接電源によって印加される高電圧は、例えば２０００［Ｖ］以上３０００［Ｖ］以下としてもよい。
【００５３】
また、上記の実施形態では、第１計測器としてクランプメータ１０を用いた場合について説明しているが、その他の計測器を用いて、第１ケーブル５に対して非接触とし第１ケーブル５の電流値を計測してもよい。
【００５４】
また、上記の実施形態では、第１計測器によって第１ケーブル５の電流値を計測しているが、第２ケーブル６の電流値を計測してもよく、第１ケーブル５又は第２ケーブル６に接続された他の導電部材の電流値を計測してもよい。例えば、作業台９の脚部９ａの電流値を第１計測器によって計測してもよい。なお、上記の実施形態では、第２ケーブル６と作業台９とを接続しているが、第２ケーブル６を母材３に接続してもよい。
【００５５】
また、上記の実施形態では、遮断器として電磁接触器１５を用いた場合について説明しているが、遮断器は電磁接触器１５に限定されず、その他のものでもよい。例えば、機械式の機構を用いて接点の開閉を行うものでもよい。
【００５６】
また、上記の実施形態では、演算部１４（第１判定部、第２判定部）が、高周波遮断ユニット１１に設けられている構成について説明しているが、演算部１４は高周波遮断ユニット１１に設けられているものに限定されない。例えば、演算部１４は第１計測器に設けられていてもよい。
【００５７】
また、上記の実施形態では、クランプメータ１０とデータロガー１２とを、電磁接触器１５を介さずに接続しているが、クランプメータ１０とデータロガー１２とを電磁接触器１５を介して接続してもよい。これにより、電磁接触器１５の開閉に同期させて電流値を記録することができる。
【００５８】
また、上記の実施形態では、電流値が第１判定閾値以上となってからの経過時間が判定基準時間を経過した後に、遮断器が通電状態となるようにしているが、判定基準時間の経過を待たずに、遮断器が通電状態となる構成でもよい。
【符号の説明】
【００５９】
１  溶接計測システム
２  溶接トーチ
２ａ  溶接トーチの電極
３  母材
４  溶接機（溶接電源）
５  第１ケーブル（第１導電部材）
６  第２ケーブル（第２導電部材）
１０  クランプメータ（第１計測器）
１１  高周波遮断ユニット
１２  データロガー（第２計測器）
１５  電磁接触器（遮断器）
【図１】
2019030898.tif 000003
【図２】
2019030898.tif 000004
【図３】
2019030898.tif 000005
【図４】
2019030898.tif 000006